(57)【要約】【課題】予め登録したスケジュールで特定される日時が到来したことを効果的に利用者に通知することができる携帯端末装置及びスケジュール管理システム並びにスケジュール管理方法の提供。【解決手段】スケジュール管理機能と通信機能とを少なくとも備えた携帯端末装置において、電子メールや電話等の連絡手段と電子メールアドレスや電話番号等の連絡先とを対応付けて記憶する連絡先登録用メモリ１０と、スケジュールの日時が到来したかを監視し、該日時が到来してから所定時間内にアラームの鳴動を停止させる操作が行われなかった場合に、連絡先登録用メモリ１０に記憶された１又は複数の連絡先に電子メールや電話を発信し、また、所定時間内に電子メールや電話に対する応答がない場合に、連絡先登録用メモリ１０に記憶された他の連絡先に、順次電子メールや電話を発信するスケジュール管理手段とを設ける。【選択図】図２
2007133485.tif 000002
【特許請求の範囲】
【請求項１】
予め設定したスケジュールで特定される日時が到来したらアラームを鳴動させる機能と、電子メール又は電話の少なくとも一方を用いて通信を行う機能と、を少なくとも備える携帯端末装置において、
前記アラームが鳴動した後、所定時間内に、該アラームの鳴動を停止させる操作が行われなかった場合に、予め登録された１又は複数の連絡先に対して、前記スケジュールで特定される日時が到来したことを通知する電子メール又は電話の少なくとも一方を発信するスケジュール管理手段を備えることを特徴とする携帯端末装置。
【請求項２】
前記スケジュール管理手段では、所定時間内に、前記電子メール又は前記電話に対する応答がない場合に、予め登録された他の１又は複数の連絡先に対して、前記電子メール又は前記電話の少なくとも一方を発信することを特徴とする請求項１記載の携帯端末装置。
【請求項３】
予め設定したスケジュールで特定される日時が到来したらアラームを鳴動させる機能と、電子メール又は電話の少なくとも一方を用いて通信を行う機能と、を少なくとも備える携帯端末装置と、前記電子メール又は前記電話を受信する１又は複数の端末装置と、が通信ネットワークを介して接続されてなるスケジュール管理システムにおいて、
前記携帯端末装置に、
前記複数の端末装置の各々に対応する連絡先を登録する記憶手段と、
前記アラームが鳴動した後、所定時間内に、該アラームの鳴動を停止させる操作が行われなかった場合に、前記記憶手段に登録された１又は複数の連絡先に対して、前記スケジュールで特定される日時が到来したことを通知する電子メール又は電話の少なくとも一方を発信するスケジュール管理手段と、を少なくとも備えることを特徴とするスケジュール管理システム。
【請求項４】
前記スケジュール管理手段では、所定時間内に、前記１又は複数の連絡先に対応する前記端末装置のいずれからも前記電子メール又は前記電話に対する応答がない場合に、前記記憶手段に登録された他の１又は複数の連絡先に対して、前記電子メール又は前記電話の少なくとも一方を発信することを特徴とする請求項３記載のスケジュール管理システム。
【請求項５】
予め設定したスケジュールで特定される日時が到来したらアラームを鳴動させる機能と、電子メール又は電話の少なくとも一方を用いて通信を行う機能と、を少なくとも備える携帯端末装置と、前記電子メール又は前記電話を受信する１又は複数の端末装置と、が通信ネットワークを介して接続されてなるシステムにおけるスケジュール管理方法であって、
前記複数の端末装置の各々に対応する連絡先を登録する第１のステップと、
前記スケジュールで特定される日時を監視し、該日時が到来したらアラームを鳴動させる第２のステップと、
前記アラームが鳴動した後、所定時間内に、該アラームの鳴動を停止させる操作が行われなかった場合に、予め定められた順番に従って、１又は複数の連絡先を取得する第３のステップと、
前記１又は複数の連絡先に対して、前記スケジュールで特定される日時が到来したことを通知する電子メール又は電話の少なくとも一方を発信する第４のステップと、を少なくとも有することを特徴とするスケジュール管理方法。
【請求項６】
所定時間内に、前記１又は複数の連絡先に対応する前記端末装置のいずれからも前記電子メール又は前記電話に対する応答がない場合に、前記第３のステップでは、他の１又は複数の連絡先を取得し、前記第４のステップでは、前記他の１又は複数の連絡先に対して、前記電子メール又は前記電話の少なくとも一方を発信することを特徴とする請求項５記載のスケジュール管理方法。
【発明の詳細な説明】
【技術分野】
【０００１】
本発明は、携帯端末装置及び該携帯端末装置を含むスケジュール管理システム並びに該システムにおけるスケジュール管理方法に関する。
【背景技術】
【０００２】
近年、携帯電話機などの携帯端末装置が広く普及している。この携帯端末装置には、通常、スケジュール管理機能が付加されており、スケジュール管理機能により、登録した日時になったときにアラーム音を鳴動させたり、電子メールを送信する処理が行われる。
【０００３】
上記スケジュール管理機能として、例えば、下記特許文献１には、タイマ並びに利用者の識別番号に対応する通知フラグ及び通知時間が記録された通知テーブルを参照して通知を行うべき利用者が存在するか否かを判定し、存在すればその利用者及び所属グループの当日又は翌営業日のスケジュール情報を読み込み、その利用者あてのメッセージを作成し、利用者の電子メールアドレスや携帯電話番号あてにメッセージを送信する情報処理装置が開示されている。
【０００４】
また、下記特許文献２には、ユーザの携帯電話機と、センター局のサーバと、スケジュール情報を蓄積し指定された通知日時に取り出すデータサーバと、センター局サーバから転送される電子メールを解析し、スケジュール情報を抽出してデータサーバに送信すると共に、データサーバの取り出したスケジュール情報を受信して電子メールに変換し、センター局を介して携帯電話機に送信するメールサーバなどを備えたスケジュール管理システムが開示されている。
【０００５】
【特許文献１】特開２００１−３４４３９０号公報（第３−５頁、第１図）
【特許文献２】特開２００２−２８８３９４号公報（第４−６頁、第１図）
【発明の開示】
【発明が解決しようとする課題】
【０００６】
上述した情報処理装置やスケジュール管理システムのスケジュール管理機能を用いて、情報処理装置やメールサーバなどから携帯端末装置に電子メールを送信することによって、予め登録した日時になったことを利用者に知らせることができるが、例えば、携帯端末装置をカバン等に入れていたり、携帯端末装置を離れた場所に置いている場合には、利用者はアラームの鳴動や電子メールの着信に気づかない場合がある。
【０００７】
また、上記特許文献に記載されたスケジュール管理機能では、予め登録した日時になったことを携帯端末装置の利用者が確認した場合でも、常に携帯端末装置に電子メールを送信するため、無駄な電子メールが送信されてしまう場合がある。
【０００８】
このように、従来の情報処理装置やスケジュール管理システムでは、登録した日時になったことを効果的に利用者に通知することができず、スケジュール管理機能を十分に発揮させることができないという問題があった。
【０００９】
本発明は、上記問題点に鑑みてなされたものであって、その主たる目的は、予め登録したスケジュールで特定される日時が到来したことを効果的に利用者に通知することができる携帯端末装置及びスケジュール管理システム並びにスケジュール管理方法を提供することにある。
【課題を解決するための手段】
【００１０】
上記目的を達成するため、本発明は、予め設定したスケジュールで特定される日時が到来したらアラームを鳴動させる機能と、電子メール又は電話の少なくとも一方を用いて通信を行う機能と、を少なくとも備える携帯端末装置において、前記アラームが鳴動した後、所定時間内に、該アラームの鳴動を停止させる操作が行われなかった場合に、予め登録された１又は複数の連絡先に対して、前記スケジュールで特定される日時が到来したことを通知する電子メール又は電話の少なくとも一方を発信するスケジュール管理手段を備えるものである。
【００１１】
本発明においては、前記スケジュール管理手段では、所定時間内に、前記電子メール又は前記電話に対する応答がない場合に、予め登録された他の１又は複数の連絡先に対して、前記電子メール又は前記電話の少なくとも一方を発信する構成とすることができる。
【００１２】
また、本発明は、予め設定したスケジュールで特定される日時が到来したらアラームを鳴動させる機能と、電子メール又は電話の少なくとも一方を用いて通信を行う機能と、を少なくとも備える携帯端末装置と、前記電子メール又は前記電話を受信する１又は複数の端末装置と、が通信ネットワークを介して接続されてなるスケジュール管理システムにおいて、前記携帯端末装置に、前記複数の端末装置の各々に対応する連絡先を登録する記憶手段と、前記アラームが鳴動した後、所定時間内に、該アラームの鳴動を停止させる操作が行われなかった場合に、前記記憶手段に登録された１又は複数の連絡先に対して、前記スケジュールで特定される日時が到来したことを通知する電子メール又は電話の少なくとも一方を発信するスケジュール管理手段と、を少なくとも備えるものである。
【００１３】
本発明においては、前記スケジュール管理手段では、所定時間内に、前記１又は複数の連絡先に対応する前記端末装置のいずれからも前記電子メール又は前記電話に対する応答がない場合に、前記記憶手段に登録された他の１又は複数の連絡先に対して、前記電子メール又は前記電話の少なくとも一方を発信する構成とすることができる。
【００１４】
また、本発明は、予め設定したスケジュールで特定される日時が到来したらアラームを鳴動させる機能と、電子メール又は電話の少なくとも一方を用いて通信を行う機能と、を少なくとも備える携帯端末装置と、前記電子メール又は前記電話を受信する１又は複数の端末装置と、が通信ネットワークを介して接続されてなるシステムにおけるスケジュール管理方法であって、前記複数の端末装置の各々に対応する連絡先を登録する第１のステップと、前記スケジュールで特定される日時を監視し、該日時が到来したらアラームを鳴動させる第２のステップと、前記アラームが鳴動した後、所定時間内に、該アラームの鳴動を停止させる操作が行われなかった場合に、予め定められた順番に従って、１又は複数の連絡先を取得する第３のステップと、前記１又は複数の連絡先に対して、前記スケジュールで特定される日時が到来したことを通知する電子メール又は電話の少なくとも一方を発信する第４のステップと、を少なくとも有するものである。
【００１５】
本発明においては、所定時間内に、前記１又は複数の連絡先に対応する前記端末装置のいずれからも前記電子メール又は前記電話に対する応答がない場合に、前記第３のステップでは、他の１又は複数の連絡先を取得し、前記第４のステップでは、前記他の１又は複数の連絡先に対して、前記電子メール又は前記電話の少なくとも一方を発信する構成とすることができる。
【００１６】
このように、本発明では、所定時間内にアラームの停止操作が行われなかった場合や、所定時間内に電子メール又は電話に対する応答がない場合に、順次、１又は複数の連絡先に、スケジュールで特定される日時が到来したことを知らせる電子メール又は電話が発信されるため、該日時が到来したことを効果的に利用者に通知することができる。
【発明の効果】
【００１７】
本発明の携帯端末装置及びスケジュール管理システム並びにスケジュール管理方法によれば、予め登録したスケジュールで特定される日時が到来したことを効果的に利用者に通知することができ、スケジュール管理機能を十分に発揮させることができる。
【００１８】
その理由は、予め設定したスケジュールで特定される日時が到来したことをアラームで知らせる際に、所定時間内にアラームの鳴動を停止させる操作を行わなかった場合に、スケジュールで特定される日時が到来したことを予め登録した１又は複数の連絡先に通知し、また、所定時間内に電子メールや電話に対する応答がない場合に、順次、他の１又は複数の連絡先に通知するため、携帯端末装置をカバン等に入れていたり、携帯端末装置を離れた場所に置いている場合であっても、該日時が到来したことを利用者に確実に気づかせることができるからである。
【００１９】
また、アラームの鳴動後、所定時間内に所定時間内にアラームの鳴動を停止させる操作を行った場合や、所定時間内に電子メールや電話に対する応答を行った場合には、電子メールや電話等による通知を停止させることができるため、通知回数を必要最小限に抑えることができるからである。
【発明を実施するための最良の形態】
【００２０】
本発明は、その好ましい一実施の形態において、登録したスケジュールの日時になった場合にアラームを鳴動させる機能と、電子メール又は電話の少なくとも一方を用いて通信を行う機能とを少なくとも備えた携帯端末装置において、電子メールアドレスや電話番号等の連絡先情報を登録する連絡先登録用メモリと、スケジュールで特定される日時が到来したかを監視し、該日時が到来してから所定時間内にアラームの鳴動を停止させる操作が行われなかった場合に、連絡先登録用メモリに記憶された１又は複数の連絡先に該日時が到来したことを知らせる電子メールや電話を発信し、また、所定時間内に電子メールや電話に対する応答がない場合に、連絡先登録用メモリに記憶された他の１又は複数の連絡先に電子メールや電話を発信するスケジュール管理手段と、を少なくとも備える。これにより、予め登録したスケジュールで特定される日時が到来したことを効果的に利用者に通知することができる。
【実施例１】
【００２１】
上記した本発明の実施の形態についてさらに詳細に説明すべく、本発明の一実施例に係る携帯端末装置及びスケジュール管理システム並びにスケジュール管理方法について、図１乃至図４を参照して説明する。図１は、本実施例のスケジュール管理システムの構成を模式的に示す図であり、図２は、本実施例に係る携帯端末装置の回路構成の要部を示すブロック図である。また、図３は、本実施例のスケジュール管理システムを用いたスケジュール管理方法を示すフローチャート図であり、図４は、連絡先登録用メモリに記憶されるテーブルの構成例を示す図である。
【００２２】
図１に示すように、本実施例のスケジュール管理システム１は、スケジュールを管理し、予め登録したスケジュールで特定される日時が到来した場合にアラームを鳴動させると共に、予め登録された連絡先に、順次、該日時が到来したことを知らせる電子メールや電話を発信する携帯端末装置２と、携帯端末装置２から発信された電子メールを受信するパーソナルコンピュータなどの端末装置３や、携帯端末装置２から発信された電話を受信する固定電話機や他の携帯電話機などの端末装置４と、それらを接続するための通信ネットワーク５とを備えている。
【００２３】
なお、図１では、スケジュール管理システム１に端末装置３及び端末装置４を各々１台備える構成を示したが、スケジュール管理システム１には、端末装置３又は端末装置４を少なくとも１台備えていればよい。
【００２４】
また、図２に示すように、本実施例の携帯端末装置２は、少なくとも後述するスケジュール管理手段として機能するＣＰＵ（中央処理装置）６を搭載しており、ＣＰＵ６はバス７を介して装置内の各手段と接続されている。
【００２５】
ＲＯＭ８は、ＣＰＵ６が実行するための各種の制御用プログラムや、かな文字変換等に使用される辞書等の固定的なデータなどを格納したリード・オンリ・メモリである。
【００２６】
また、作業用メモリ９は、ＲＡＭ（ランダム・アクセス・メモリ）によって構成されており、ＣＰＵ６がプログラムを実行する上で一時的に必要とされるデータを格納するようになっている。
【００２７】
また、連絡先登録用メモリ１０は、不揮発性メモリで構成されており、予め利用者が入力したスケジュールを記憶すると共に、スケジュールで特定される日時が到来したことを知らせる端末装置３、４を特定するためのテーブルを記憶する。このテーブルは、例えば、図４に示すように構成され、電子メールや電話等の種別や、電子メールアドレスや電話番号等の連絡先（これらを連絡先情報と呼ぶ。）が記憶されている。
【００２８】
また、タイマ部１１は、スケジュールで特定される日時の監視や、アラームを鳴動させている時間、電子メールや電話に対する応答が行われるまでの時間などを測定するための計時回路である。
【００２９】
また、キー入力部１２は、キー入力を受け付ける入力回路であり、スケジュールの入力、上記連絡先情報の入力、アラームの鳴動を停止させる操作などを行うことができるようになっている。
【００３０】
また、表示部１３は、白黒あるいはカラーの液晶表示装置あるいは有機ＥＬ（electro-luminescence）表示装置などで構成される。
【００３１】
また、送受信部１４は、通信ネットワーク５を介して接続される端末装置３や端末装置４に対して、無線によって電子メールや電話等の送受信を行う回路である。
【００３２】
また、Ａｕｄｉｏ１５は、スケジュールで特定される日時が到来したことを知らせるアラーム音を鳴動させるための装置である。
【００３３】
なお、図２の構成は例示であり、上記構成以外の手段を備えていてもよく、例えば、携帯電話機の場合は、デジタルカメラ機能やテレビ電話機能、電子決済機能などを実現するための手段を備えていてもよい。
【００３４】
次に、上記構成のスケジュール管理システム１を用いてスケジュールを管理する手順について、図３のフローチャート図を参照して説明する。
【００３５】
まず、ステップＳ１０１で、ＣＰＵ６（スケジュール監視手段）は、タイマ部１１で計時される日時を参照して、スケジュールとして予め登録された日時を監視し、ステップＳ１０２で、登録された日時になった場合は、ステップＳ１０３で、Ａｕｄｉｏ１５を用いてアラームを鳴動させる。
【００３６】
次に、アラーム鳴動後、ＣＰＵ６（スケジュール監視手段）はキー入力部１２を監視し、ステップＳ１０４で、利用者がアラームを停止させる操作（特定のキーを押下する操作など）を行った場合は、利用者がスケジュールを確認したと判断して処理を終了する。一方、ステップＳ１０４で、利用者がアラームを停止させる操作を行わなかった場合は、ＣＰＵ６（スケジュール監視手段）はタイマ部１１を用いてアラームの鳴動時間を監視し、ステップＳ１０５で、予め定めた所定時間が経過したら、ステップＳ１０６で、連絡先登録用メモリ１０から、予め定めた順番（例えば、登録番号の若い順）で、電子メールアドレスや電話番号等の連絡先情報を取得する。
【００３７】
そして、ステップＳ１０７で、連絡先情報が取得できなかった場合は、登録された日時になったことを知らせることができないため処理を終了し、連絡先が取得できた場合は、ステップＳ１０８で、ＣＰＵ６（スケジュール監視手段）は、送受信部１４を用いて取得した連絡先で特定される端末装置３又は端末装置４に、登録された日時になったことを知らせる通知を行う。その際、連絡先登録用メモリ１０に複数の連絡先が登録されている場合に、１番目に電子メールが登録されていれば電子メールで通知し、電話が登録されていれば電話を発信して通知する。なお、発信する電子メールの内容は特に限定されず、登録された日時になったことを利用者に知らせる情報が記述されていればよく、所定のタイトル（例えば、「スケジュールを確認してください」）のみの電子メールとしてもよいし、本文にスケジュールの具体的内容（例えば、「３時に定例会議があります」）を記載してもよいし、予め利用者が入力し保存しておいた電子メールを送信するようにしてもよい。また、電話を発信する場合に、単に電話を発信するだけでもよいし、予め定められた又は予め利用者が登録したメッセージが再生されるようにしてもよい。
【００３８】
次に、利用者は、電子メールが発信された場合は、端末装置３で電子メールを受信した後、該電子メールに対する返信メール（その内容は特に限定されない。）を送信し、電話が発信された場合は、端末装置４で電話に応答する。一方、ＣＰＵ６（スケジュール監視手段）は、端末装置３からの返信の電子メールを受信したか、又は、端末装置４で電話に応答したかを監視し、ステップＳ１０９で、返信の電子メールを受信した場合（例えば、タイトルが「Re.スケジュール確認」の電子メールを受信した場合）、又は、電話が通話状態になった場合は、利用者がスケジュールを確認したと判断して処理を終了する。
【００３９】
一方、電子メールや電話に対する応答がない場合は、ＣＰＵ６（スケジュール監視手段）は、タイマ部１１を用いてステップＳ１０８で通知してからの時間を監視し、ステップＳ１１０で、予め定めた所定時間が経過したら、ステップＳ１０６に戻り、連絡先登録用メモリ１０から次の連絡先情報（例えば、２番目の連絡先）を取得する。そして、連絡先が全て通知済みのものになり、ステップＳ１０７で新しい連絡先を取得できない場合は、処理を終了する。
【００４０】
このように、本実施例の携帯端末装置２では、予め設定したスケジュールの日時が到来した場合に、Ａｕｄｉｏ１５を用いてアラームを鳴動させると共に、アラームの鳴動を停止させる操作が所定時間内に行われない場合に、スケジュールで特定される日時が到来したことを連絡先登録用メモリ１０に予め登録された連絡先に電子メール又は電話で通知し、また、所定時間内に電子メール又は電話に対する応答がない場合に、連絡先登録用メモリ１０に予め登録された他の連絡先に電子メール又は電話で通知するため、携帯端末装置２をカバン等に入れている場合や携帯端末装置２を離れた場所に置いている場合であっても、利用者に日時が到来したことを確実に通知することができ、また、不要な電子メールや電話の発信を抑えることができ、これにより、スケジュール管理機能を十分に発揮させることができる。
【００４１】
なお、上記実施例では、スケジュールで特定される日時が到来したことを、１つの連絡先に対して順に通知する構成としたが、複数の連絡先（例えば、１番目の登録先と２番目の登録先など）に対して同時に通知してもよい。その場合は、ステップＳ１０６で連絡先登録用メモリ１０から複数の連絡先を取得し、ステップＳ１０８で取得した複数の連絡先に電子メール又は電話で通知し、ステップＳ１０９で、そのうちの少なくとも１つの連絡先から応答があった場合に処理を終了するようにすればよい。
【００４２】
また、連絡先登録用メモリ１０に登録する連絡先として、携帯端末装置２の利用者に加えて、利用者以外の者を含むようにしてもよく、複数の人に通知することによって情報を共有できるようにすることができる。
【００４３】
また、上記実施例では、スケジュールで特定される日時が到来したことを通知する手段として電子メールと電話とを例にして説明したが、本発明は上記実施例に限定されるものではなく、例えば、ＳＭＳ（Short Message Service）を利用してアラームを通知したり、ＦＡＸ等でアラームを通知するなど、他の通知手段を利用してもよい。
【産業上の利用可能性】
【００４４】
本発明は、携帯電話機、ＰＨＳ（Personal Handyphone System）、ＰＤＡ（Personal Data Assistance：個人向け携帯型情報通信機器）、ゲーム機等の、スケジュール管理機能と通信機能とを備える任意の携帯端末装置に適用することができる。
【図面の簡単な説明】
【００４５】
【図１】本発明の一実施例に係るスケジュール管理システムの構成を模式的に示す図である。
【図２】本発明の一実施例に係る携帯端末装置の回路構成の要部を示すブロック図である。
【図３】本発明の一実施例に係るスケジュール管理システムを用いたスケジュール管理方法を示すフローチャート図である。
【図４】本発明の一実施例に係る携帯端末装置に記憶される連絡先情報の例を示す図である。
【符号の説明】
【００４６】
１  スケジュール管理システム
２  携帯端末装置
３  端末装置
４  端末装置
５  通信ネットワーク
６  ＣＰＵ
７  バス
８  ＲＯＭ
９  作業用メモリ
１０  連絡先登録用メモリ
１１  タイマ部
１２  キー入力部
１３  表示部
１４  送受信部
１５  Ａｕｄｉｏ
【図１】
2007133485.tif 000003
【図２】
2007133485.tif 000004
【図３】
2007133485.tif 000005
【図４】
2007133485.tif 000006